(57)【特許請求の範囲】
【請求項１】
掃除機本体内に設置されて吸引風を発生する電動送風機と、該電動送風機の吸気上流側において前記掃除機本体内に着脱可能に収容される集塵ケースとを有し、
該集塵ケースを、吸気上流側に前記掃除機本体の吸込口に連通する吸込穴を有し、吸気下流側に開口部が設けられたほぼ箱状の本体部と、フィルタを備え、前記本体部の開口部を開閉する蓋組立体と、該蓋組立体が回動自在に支持され、前記本体部の下面に着脱可能に装着される蓋組立体着脱用取手とによって構成したことを特徴とする電気掃除機。
【請求項２】
前記蓋組立体のフィルタを、複数のフイルタで構成したことを特徴とする請求項１記載の電気掃除機。
【請求項３】
前記集塵ケースの本体部の下面に、開口部から前面側に向って前記蓋組立体着脱用取手が挿入される一対のガイドレールを設けたことを特徴とする請求項１又は２記載の電気掃除機。
【請求項４】
前記それぞれのガイドレールを、Ｌ字状のリブを対向配置して形成し、該リブの開口部側の間隔を前面側の間隔より大きく形成したことを特徴とする請求項３記載の電気掃除機。
【請求項５】
前記集塵ケースの蓋組立体着脱用取手を、ほぼＣ字状の本体の両端部に前記集塵ケースの本体部の下面に設けたガイドレールに着脱可能に嵌入される嵌入部を設けると共に、該嵌入部の上面に前記蓋組立体に設けたヒンジ腕が回動可能に支持されるヒンジ受けを設けて構成したことを特徴する請求項３又は４記載の電気掃除機。
【請求項６】
前記蓋組立体着脱用取手の嵌入部に、前記集塵ケースの本体部のそれぞれのガイドレールの間に設けた係止突部に係止する係止穴を設けたことを特徴とする請求項５記載の電気掃除機。
【請求項７】
前記蓋組立体着脱用取手の前記ヒンジ受けの後面側に、該ヒンジ受けと一体的に前記蓋組立体を構成する前記複数のフィルタのそれぞれの回動範囲を規制するストッパリブを設けたことを特徴とする請求項５又は６記載の電気掃除機。
【発明の詳細な説明】
【技術分野】
【０００１】
本発明は、電気掃除機に係り、より詳しくは、集塵ケースを備えた電気掃除機に関するものである。
【背景技術】
【０００２】
電気掃除機に、掃除機本体の内部に着脱可能に収容され、吸引した塵埃を集積する集塵容器を備えたものがある。この集塵容器は、前面側（吸引した空気流の上流側）に掃除機本体の吸込口と連通する吸気入口を有し、後面側（下流側）が開口されたほぼ箱状に形成されており、この開口部に、フィルタ要素を備えた枠体（フィルタ）が着脱可能に装着されている。
【０００３】
そして、集塵容器内に溜った塵埃を捨てるときは、掃除機本体から集塵容器を引出し、フィルタを取外して内部の塵埃を排出するようにしたものがある（例えば、特許文献１参照）。
【０００４】
【特許文献１】特許第３４６１８２４号公報（第５−７頁、図４−５）
【発明の開示】
【発明が解決しようとする課題】
【０００５】
特許文献１の電気掃除機においては、集塵容器内に溜った塵埃を捨てる場合やフィルタのメンテナンスを行う場合は、その都度集塵容器からフィルタを取外さなければならないので大変面倒であるばかりでなく、手が汚れるという問題がある。また、塵埃を捨てる際には両手を使わなければならず、さらに、ごみ捨ての際にフィルタをごみと一緒にごみ箱の中に落してしまったり、紛失してしまうおそれがある。
【０００６】
本発明は、上記の課題を解決するためになされたもので、集塵ケース内に溜った塵埃を捨てる際にフィルタを取外す必要がなく、かつ片手で操作することができ、その上フィルタをごみ箱に落したり紛失したりすることがなく、フィルタのメンテナンスも簡単な集塵ケースを備えた使い勝手のよい電気掃除機を提供することを目的としたものである。
【課題を解決するための手段】
【０００７】
本発明に係る電気掃除機は、掃除機本体内に設置されて吸引風を発生する電動送風機と、該電動送風機の吸気上流側において前記掃除機本体内に着脱可能に収容される集塵ケースとを有し、該集塵ケースを、吸気上流側に前記掃除機本体の吸込口に連通する吸込穴を有し、吸気下流側に開口部が設けられたほぼ箱状の本体部と、フイルタを備え、前記本体部の開口部を開閉する蓋組立体と、該蓋組本体が回動自在に支持され、前記本体部の下面に着脱可能に装着される蓋組立体着脱用取手とによって構成したものである。
【発明の効果】
【０００８】
本発明によれば、蓋組立体を構成するフィルタを集塵ケースの本体部から簡単に取外すことができるので、フィルタに付着した塵埃の除去等のメンテナンスが容易であり、フィルタを紛失することもない。また、蓋組立体着脱用取手をほぼＣ字状に形成したので、集塵ケースの本体部への着脱や持ち運びが容易である。
さらに、蓋組立体着脱用取手の集塵ケースの本体部からの取外しやメンテナンスの際にフィルタに触れることがないので、手を汚すことがないなど、使い勝手のよい電気掃除機を得ることができる。
【発明を実施するための最良の形態】
【０００９】
図１６は本発明に係る電気掃除機の全体構成を示す斜視図である。
後述の集塵ケースが収容された掃除機本体１の前面側（図の左側）に設けた吸込口６には、ホースアッセンブリ１００のホース１０１の一端に設けたホース接続継手１０２が着脱自在に連結されており、ホース１０１の他端には手元ハンドル１０３が設けられている。そして、一端が手元ハンドル１０３に着脱自在に接続された延長管１０４の他端には、吸込具１０５が着脱自在に接続されている。なお、２０は掃除機本体１の底部前面側に設けたキャスタ（前輪）、２１は後面側の両側面に設けた一対の後輪、２２は掃除機本体１に内蔵された巻取りリール（図示せず）に巻かれた電源コードである。
【００１０】
［実施の形態１］
図１は本発明の実施の形態１に係る電気掃除機の掃除機本体の縦断面図、図２は図１の掃除機本体に設けた集塵ケースのロック手段及び集塵ケースの要部の斜視図、図３は図１の集塵ケースの側面図である。
【００１１】
掃除機本体１の前面側（以下の説明では、図の左側を前面側又は上流側といい、右側を後面側又は下流側という）には、後述の集塵ケース３０が収容される集塵ケース収容部２が設けられており、その底板３から立上った前壁４には、ホース１０１のホース接続継手１０２が着脱自在に連結される吸込口６と連通する通気穴５が設けられており、通気穴５の内周面にはシールパッキン７が装着されている。
【００１２】
８は集塵ケース収容部２の後壁（隔壁）で、格子状の通気口９が設けられており、その前面側にはフイルタ１０が着脱自在に装着されている。また、隔壁８の前面側の両側には、下部になるにしたがって前面側に傾斜するシール面１１が設けられている。
【００１３】
１２は隔壁８の後面側に設けられた電動機室で、吸引風を発生する電動送風機１３が収容されており、その空気吸入部１４は隔壁８の通気口９と連通している。１５は電動機室１２の上部に設けられた制御部、１６は掃除機本体１の後壁上部に設けられた排気口、１７は制御部１５と排気口１６との間に着脱自在に介装されたフイルタである。１８は掃除機本体１の上部に回動可能に軸支され、集塵ケース収納部２の上部開口部を開閉する開閉蓋、１９はハンドルである。
【００１４】
２５は吸込口６の天壁の上面に設けた集塵ケース３０のロック手段である。ロック手段２５において、２６はその底面に設けた突部２７が天壁に設けたガイド溝６ａに前後に摺動可能に装着されたロックレバーで、下部両側には後面側に突出する一対の係止爪２８ａ，２８ｂが設けられており、集塵ケース収容部２の前壁４に設けたガイド穴４ａ，４ｂ（４ｂは図示せず）に挿入されている。
【００１５】
そして、ロックレバー２６はばね（図示せず）により常時前壁４側に付勢されており、これにより、係止爪２８ａ，２８ｂは集塵ケース収容部２内に突出している。なお、係止爪２８ａ，２８ｂの上面は先端部に向って下降する傾斜面に形成されており、下面はほぼ水平に形成されている。
【００１６】
集塵ケース３０は、図３〜図７に示すように、前面側に通気穴５を介して吸込口６と連通する吸込穴３２を有し、後面側が開口されて（以下、開口部３３という）、天板が前面側に傾斜したほぼ箱状に形成されて天板上に提げ手３４が設けられた本体部３１と、本体部３１の開口部３３を開閉する蓋組立体５０とからなっている。そして、本体部３１の前面側には、図２（ｂ）に示すように、掃除機本体１のロック部２５の係止爪２８ａ，２８ｂに対応して係止突部３５ａ，３５ｂが設けられている。
【００１７】
また開口部３３の上部には、後述の開口部３３を開閉するフイルタアッセンブリからなる蓋組立体５０のロック部３６が設けられている。このロック部３６は、図４に示すように、開口部３３の上部の後面側に庇状に張出して設けられた支持部３７に回動可能に支持された回転軸４０と、この回転軸４０の上部中央部に設けられ、支持部３７の中央部に設けた凹部３８内に位置する押しボタン４１と、押しボタン４１の両側において回転軸４０に設けられ、後面側に突出して支持部３７の窓穴３９ａ，３９ｂから後面側に突出する一対の係止爪４２ａ，４２ｂと、支持部３７の底部と押しボタン４１の前面側下面との間に介装されたばね（図示せず）とからなっている。そして、押しボタン４１はばねにより常時付勢されており、これにより、係止爪４２ａ，４２ｂはほぼ水平に保持されている。
【００１８】
また、底壁の下面の開口部３３側には、図４，図７に示すように、Ｌ字状のリブが対向配置され、両リブの間に係止突部４６が設けられて、後述の蓋組立体着脱用取手７０の嵌入部７２ａ，７２ｂが着脱可能に嵌入される一対のガイドレール４５ａ，４５ｂが設けられている。なお、このガイドレール４５ａ，４５ｂのＬ字状リブの縦リブは、蓋組立体着脱用取手７０（図６）の嵌入部７２ａ，７２ｂの挿入側（吸込口３２側）の間隔ａは嵌入部７２ａ，７２ｂの幅ｗとほぼ等しく、開口部３２側の間隔ｂは間隔ａより若干大きくａ＜ｂに形成されている。
【００１９】
集塵ケース３０の本体部３１の開口部３３を開閉する蓋組立体５０は、例えば図５に示すように、複数のフィルタ（図には３個の場合が示してある）５１，５２，５３からなっている。前面側（上流側）に位置する第１のフィルタ５１は上部が幅広で下部が幅狭の周壁を有し、全面側外周にシールパッキン５６が介装されて本体部３１の開口部３３の外周に当接する枠体５５と、枠体５５に装着された板状のフィルタ部材５７とからなり、下部両側に設けたヒンジ腕５８ａ，５８ｂのヒンジ軸５９が蓋組立体着脱用取手７０のヒンジ受け７４ａ，７４ｂのヒンジ穴７５の内側から回動自在に嵌合する。
【００２０】
第２のフイルタ５２は、後面側外周に第１のフイルタ５１の枠体５４に当接する鍔部６１と、第１のフイルタ５１の枠体５４内に挿入される枠部６２とを有し、枠部６２の上面に櫛状部６３が形成された枠体６０を備え、枠部６２にはプリーツ状のフイルタ６４が装着され、その上面が櫛状部６３と一体に接合されている。なお、第２のフイルタ５２に設けるフイルタ部材はプリーツ状のフイルタ６４に限定するものではなく、平板状のフイルタ部材を用いてもよい。
【００２１】
また、鍔部６１の上部には、本体部３１のロック部３６の係止爪４２ａ，４２ｂが係止する係止部６５ａ，６５ｂが設けられており、鍔部６１の下部にはヒンジ腕６６ａ，６６ｂが設けられて、そのヒンジ軸６８が蓋組立体着脱用取手７０のヒンジ受け７４ａ，７４ｂのヒンジ穴７５に、外側から回動自在に嵌合する。なお、鍔部６１の両面にはパッキン６７が装着されている。
第３のフイルタ５３は、第２のフイルタ５２の枠部６２に対応する大きさの枠体６９に板状のフイルタ部材６９ａを装着したもので、その下端部が第２のフイルタ５２の枠部６２に回動自在に軸止されている（図９参照）。
【００２２】
蓋組立体着脱用取手７０は、図６に示すように、ほぼＣ字状の本体部７１を有し、その両端部はほぼ凸字状に形成され、その両側には集塵ケース３０の底部に設けたガイドレール４５ａ，４５ｂに着脱可能に嵌入されるスライド部７３を有する嵌入部７２ａ，７２ｂが設けられている。７４ａ，７４ｂは本体部７１の両端部上面に設けられて、後述のヒンジ部８０ａ，８０ｂを構成するヒンジ受けで、ヒンジ穴７５が設けられている。
【００２３】
７６ａ，７６ｂは嵌入部７２ａ，７２ｂの基部近傍において、三方が切除されて形成された弾性片で、集塵ケース３０のガイドレール４５ａ，４５ｂに設けた係止突部４６に係止する係止穴７７が設けられている。７８はにぎり部である。
【００２４】
この蓋組立体着脱用取手７０は、図８に示すように、そのヒンジ受け７４ａ，７４ｂの内側に、蓋組立体５０を構成する第１のフィルタ５１のヒンジ腕５８ａ，５８ｂを挿入してそのヒンジ軸５９をヒンジ穴７５に回動自在に嵌入し、また、第２のフィルタ５２のヒンジ腕６６ａ，６６ｂをヒンジ受け７４ａ，７４ｂの外側に嵌合して、そのヒンジ軸６８をヒンジ穴７５に回動自在に嵌入する。これによってヒンジ部８０ａ，８０ｂが構成され、第１，第２のフィルタ５１，５２と、蓋組立体着脱用取手７０とが一体に連結される。
【００２５】
上記のようにして、蓋組立体５０がヒンジ部８０ａ，８０ｂを介して一体に連結された蓋組立体着脱用取手７０は、図９に示すように、例えば、蓋組立体着脱用取手７０のにぎり部７８を手で持って蓋組立体５０を垂下させると共に、集塵ケース３０の本体部３１をハンドル３４を持って開口部３３を下にして保持し、集塵ケース３０の本体部３１の底部に設けたガイドレール４５ａ，４５ｂに、吸込穴３２側から蓋組立体着脱用取手７０の先端部に設けた嵌入部７２ａ，７２ｂのスライド部７３を挿入する。このとき、蓋組立体着脱用取手７０の弾性片７６ａ，７６ｂに設けた係止穴７７が、ガイドレール４５ａ，４５ｂの底部に設けた係止突部４６に係合し、蓋組立体着脱用取手７０はその位置に保持される。このときの状態を図１０，図１１に示す。
【００２６】
蓋組立体５０を集塵ケース３０から取外す場合は、装着の場合と逆の動作、すなわち、集塵ケース３０を保持し、にぎり部７８に手を掛けて蓋組立体着脱用取手７０を上方（吸込口３２側）に引けば、弾性片７６ａ，７６ｂが弾性変形して係止穴７７が係止突部４７から離脱し、蓋組立体５０と共に蓋組立体着脱用取手７０を集塵ケース３０から容易に取外すことができる。
【００２７】
上記のようにして集塵ケース３０の本体部３１に取付けられた蓋組立体５０は、第２のフィルタ５２をヒンジ部８０ａ，８０ｂを軸に上方に回動させることにより第１〜第３のフィルタ５１，５２，５３が一体化され、ロック部３６の係止爪４２ａ，４２ｂを第２のフィルタ５２の係止部６５ａ，６５ｂに係止させることにより、本体部３１の開口部３３を閉塞する。このときの状態を図３に示す。
また、図１２に示すように、ロック部３６の押しボタン４１を矢印方向に押圧すると、これと一体に形成された回転軸４０が矢印方向に回動して係止爪４２ａ，４２ｂを回動させ、第２のフイルタ５２に設けた係止部６５ａ，６５ｂから離脱してロックを解除する。これにより、蓋組立体５０は図１３に示すように、ヒンジ部８０ａ，８０ｂを軸に自重により矢印方向に回転し、ほぼ垂直状態となって本体部３１の開口部３３を開放する。
【００２８】
次に、上記のように構成した本実施の形態の作用について説明する。
先ず、図１に示すように、掃除機本体１の集塵ケース収容部２に上方から集塵ケース３０を挿入し、圧下する。これにより、ロック手段２５の係止爪２８ａ，２８ｂが集塵ケース３０の係止突部３５ａ，３５ｂに押されて後退（前面側に移動）し、係止突部３５ａ，３５ｂが係止爪２８ａ，２８ｂを乗り越えると係止爪２８ａ，２８ｂが再び前進し、その下面が係止突部３５ａ，３５ｂの上面に当接してロックされ、集塵ケース３０は集塵ケース収容部２内の所定の位置に保持される。
【００２９】
このとき、集塵ケース３０の前面側に設けた吸込穴３２はシールパッキン７に圧接されて吸気口６と連通し、後面側の蓋組立体５０の第２のフイルタ５２は、隔壁８に設けた通気穴９のフイルタ１０と対向する。また、第２のフイルタ５２の後面側の両側が、隔壁８の前面側の両側に設けたシール面１１に圧接してシールされ、気密に保持される。
ついで、開閉蓋１８を閉じると、その係止部１８ａが前壁４に設けた係止部２３に係止されて保持される。
【００３０】
次に、掃除機本体１の吸気口６にホース１０１のホース接続継手１０２を接続し、電源コード２２を電源コンセントに接続する。ついで、手元ハンドル１０３の電源スイッチをＯＮし、電動送風機１３を駆動する。
そして、手元ハンドル１０３を持って吸込具１０５を床等の上を移動させれば、床等の上の塵埃等が空気と共に吸引され、ホースアッセンブリ１００を経て吸込口６から集塵ケース３０内に吸込まれる。
【００３１】
集塵ケース３０内に吸込まれた塵埃は集塵ケース３０内に捕集されて集積され、粉塵を含んだ空気は、蓋組立体５０を構成する第１、第３、第２のフイルタ５１，５３，５２及び隔壁８のフイルタ１０により清浄化され、電動機室１２に吸込まれて電動送風機１３を冷却し、ついで制御部１５を冷却したのちフイルタ１７でさらに清浄化され、排気口１６から排気される。
【００３２】
集塵ケース３０内に溜った塵埃を捨てるときは、先ず、ロック部２５のロックレバー２６を指先で矢印方向（前面側）に摺動させる。これにより、開閉蓋１８が開放される。また、ロックレバー２６の摺動により係止爪２８ａ，２８ｂが後退して係止突部３５ａ，３５ｂとの係合が外れてロックが解除されるので、図１に示すように、ハンドル３４を持って集塵ケース３０を集塵ケース収容部２から引出す。
【００３３】
そして、集塵ケース３０をごみ箱等の上に位置させ、図１２に示すように、ロック部３６の押しボタン４１を矢印方向に押してロックを解除すれば、蓋組立体５０は、ヒンジ部４４を軸にして自重により回転し、図１３に示すように垂下する。このとき、蓋組立体５０が開放されると同時に、最も上流側に位置する第１のフイルタ５１に付着した綿塵などの比較的大きな塵埃が、蓋組立体５０の開放時の加速度と塵埃の自重により落下し、また、集塵ケース３０内に溜った塵埃もごみ箱等に排出される。
【００３４】
この場合、蓋組立体５０を構成する第１〜３のフイルタ５１〜５３を、吸気上流側から吸気下流側にかけて順次フイルタの圧損（捕集率、捕集性能）を高めるようにしてもよい。これにより、掃除機本体１によって吸引された塵埃を効率的に捕集することができ、排気をさらに清浄化すると共に吸込み風量の低下を防止することができる。
【００３５】
塵埃の排出が終ったときは、蓋組立体５０を回動して集塵ケース３０の開口部３３を閉塞し、ロックする。そして、掃除機本体１の集塵ケース収容部２内に挿入してロックし、開閉蓋１８を閉じればよい。
【００３６】
ところで、蓋組立体５０を構成する第１〜第３のフィルタ５１〜５３、特に第１のフィルタ５１は、掃除機本体１の強い吸引力によって塵埃が付着し易く、このため、塵捨時の蓋組立体５０の開放による加速度及び塵埃の自重だけでは、付着した塵埃が十分に離れないことがある。特に、湿度が高い場合にこのような傾向が生じ易い。
このような場合には、蓋組立体５０と一体化された蓋組立体着脱用取手７０を前述のように、集塵ケース３０から取外して、フィルタ５１〜５３に付着した塵埃を刷毛等で除去すればよく、また、フィルタ５１〜５３を水洗可能な材料で構成すれば、水洗いにより一度にメンテナンスすることができる。
【００３７】
上記の説明では、蓋組立体５０を図示の第１〜第３のフィルタ５１〜５３で構成した場合を示したが、蓋組立体５０を構成するフィルタは図示のもので限定するものではなく、適宜構造、適宜数のフィルタ使用することができる。
【００３８】
本実施の形態によれば、蓋組立体５０を構成するフィルタを集塵ケース３０の本体部３１から簡単に取外すことができるので、フィルタに付着した塵埃の除去等のメンテナンスが容易であり、フィルタを紛失することもない。また、蓋組立体着脱用取手７０をほぼＣ字状に形成したので、集塵ケース３０の本体部３１への着脱や持ち運びが容易である。
さらに蓋組立体着脱用取手７０の集塵ケース３０の本体部３１からの取外しやメンテナンスの際にフィルタに触れることがないので、手を汚すことがないなど、使い勝手のよい電気掃除機を得ることができる。
【００３９】
［実施の形態２］
図１４は本発明の実施の形態２に係る電気掃除機の集塵ケースの要部の説明図である。なお、実施の形態１と同じ場合にはこれと同じ符号を付し、説明を省略する。
本実施の形態は、蓋組立体着脱用取手７０のヒンジ受け７４ａ，７４ｂの後面側（弾性片７６ａ，７６ｂ側−図６に破線で示す）に、長手方向と直交してヒンジ受け７４ａ，７４ｂと一体的に蓋組立体５０の回動範囲を規制するストッパリブ８１を設けたものである。
【００４０】
このストッパリブ８１は、図１４に示すように、蓋組立体着脱用取手７０を集塵ケース３０の本体部３１に装着した状態で正面ほぼ逆台形状に形成され、内側（第１のフィルタ５０側）には蓋組立体５０を開放したときに、第１のフィルタ５１のヒンジ腕５８ａ，５８ｂがそれぞれ当接する下方に向って傾斜した第１の当接部８２ａを設け、外側（第２のフィルタ５２側）には第１の当接部８２ａより高い位置に、第２のフィルタ５２のヒンジ腕６６ａ，６６ｂがそれぞれ当接する下方に向って傾斜した第２の当接部８２ｂを設けたものである。
【００４１】
このように構成したことにより、ロックを解除してヒンジ部８０を軸に蓋組立体５０が回動すると、図１４，図１５に示すように、先ず、第１のフィルタ５１のヒンジ腕５８ａ，５８ｂがストッパリブ８１の第１の当接部８２ａに当って停止し、続いて第２のフィルタ５２のヒンジ腕６６ａ，６６ｂが第２の当接部８２ｂに当って停止する。
【００４２】
すなわち、第１のフイルタ５１は角度θ1回動（回動範囲）して停止し、第２のフイルタ５２はθ1より大きい角度θ2回動（回動範囲）して停止する。このように、ストッパリブ８１により第１のフイルタ５１の回転角度θ1と第２のフイルタ５２の回転角度θ2をθ1＜θ2に設定したものである。
本実施の形態によれば、第１、第２のフイルタ５１，５２の回転範囲を規制することにより、両者の先端部は間隔を広げて展開することができ、かつ、第２のフイルタ５２のプリーツ状フイルタ６４が第１のフイルタ５１の枠体５５から離脱し、また、第３のフイルタ５３は自重により垂下するので、これらの先端部にはすき間ｇ1，ｇ2が形成される。
【００４３】
本実施の形態は上記のように構成したので、集塵ケース３０内に溜った塵埃を捨てるために、ロック部３６の押しボタン４１を押して蓋組立体５０を回転させて開口部３３を開放すると、集塵ケース３０内の塵埃を廃棄できるばかりでなく、蓋組立体５０を構成する第１、第２、第３のフイルタ５１，５２，５３はそれぞれすき間ｇ1，ｇ2を隔てて展開してオープン状態になるので、開放時の加速度と塵埃の自重により、フイルタ部材５７,６９ａに付着した塵埃は勿論、プリーツ状のフイルタ６４の溝に溜った塵埃も、開放された櫛状の開口部６３から自動的に落下させることができる。
【００４４】
ところで、蓋組立体５０を開放したときに、第１，第２のフィルタ５１，５２のヒンジ腕５８ａ，５８ｂと６６ａ，６６ｂがストッパリブ８１に同時に当接すると、ストッパリブ８１が左右から同時に荷重（衝撃）を受けるため、無理な荷重に伴う応力が発生してヒンジ受け７４ａ，７４ｂやストッパリブ８１が損傷するおそれがある。
本実施の形態においては、ストッパリブ８１の第１，第２の当接部８２ａ，８２ｂに高低差を設けて、第１，第２のヒンジ腕５８ａ，５８ｂと６６ａ，６６ｂが当接するタイミングをずらすようにしたので、第１，第２のヒンジ腕５８ａ，５８ｂと６６ａ，６６ｂがストッパリブ８１に与える衝撃を低減することができる。
【００４５】
本実施の形態によれば、各フィルタ５１，５２，５３に付着した塵埃を、塵捨て動作と同時に落下させることができるので、各フィルタ５１，５２，５３のメンテナンス頻度を大幅に低減することができる。
また、各フィルタ５１，５２，５３はそれぞれ回転範囲を異にすることにより、オープンにしてそれぞれの先端部のすき間ｇ1，ｇ2を形成するようにしたため、塵捨時に各フィルタ５１，５２，５３への塵埃の付着状態を容易に視認することができ、若し、塵埃が残っている場合は、フィルタ部材５７，６９ａやプリーツ状のフィルタ６４を取外すことなく、すき間ｇ1，ｇ2から刷毛等により除去することもできるので目詰まり状態を起こすことがなく、また、必要に応じて蓋組立体着脱用取手７０を本体部３１から取外してメンテナンスを行うことができるので、掃除機本体１の吸込用量を維持することができる。さらに、フィルタを水洗可能な材料で構成すれば、一度に水洗することもできる。
【００４６】
上記の説明では、第１のフィルタ５１と第２のフィルタ５２の回転範囲を変えるために、図示のストッパリブ８１を設けた場合を示したが、これに限定するものではなく、例えば、蓋組立体着脱用取手７０のヒンジ受け７４ａ，７４ｂと弾性片７６ａ，７６ｂの間の上面の両側に高さの異なる突部を設けてストッパとするなど、他の構造としてもよい。
【００４７】
［実施の形態３］
実施の形態２の電気掃除機において、集塵ケース３０内の塵埃を捨てる際に、各フィルタ５１〜５３に付着した塵埃を除去するために、蓋組立体５０を振ったりすることがあり、また、この際に第１，第２のフィルタ５１，５２がごみ箱などに当ったりすることが考えられる。このような場合、第１，第２のフィルタ５１，５２のヒンジ腕５８ａ，５８ｂ、６６ａ，６６ｂは、ストッパリブ８１の当接部８２ａ，８２ｂ上を滑りながらたわむが、蓋組立体着脱用取手７０の嵌入部７２ａ，７２ｂ、したがってヒンジ受け７４ａ，７４ｂが固定されていると、ヒンジ受け７４ａ，７４ｂのヒンジ穴７５に嵌入されたヒンジ軸５９，６７の嵌入しろが徐々に減少し、最終的には第１，第２のフィルタ５１，５２が落下するおそれがあるばかりでなく、ヒンジ受け７４ａ，７４ｂやヒンジ腕５８ａ，５８ｂ、６６ａ，６６ｂが損傷することも考えられる。
【００４８】
本実施の形態は、前述のように、集塵ケース３０の本体部３１の底部に設けたガイドレール４５ａ，４５ｂの縦リブの開口部３３側の間隔ｂを、蓋組立体着脱用取手７０の嵌入部７２ａ，７２ｂの挿入側の間隔ａ（この間隔ａは嵌入部７２ａ，７２ｂの幅ｗとほぼ等しい）より若干広くａ＜ｂに形成し、蓋組立体着脱用取手７０の嵌入部７２ａ，７２ｂを嵌入したときに、嵌入部７２ａ，７２ｂの先端部両側との間にすき間を生じるようにした。
【００４９】
このように構成したことにより、蓋組立体５０を振ったりして、例えば第２のフィルタ５２のヒンジ腕６６ａ，６６ｂがストッパリブ８１の第２の当接部８２ｂに当ると、ヒンジ受け７４ａ，７４ｂとヒンジ腕６６ａ，６６ｂが、その反力により互いに反対方向、すなわち、ヒンジ受け７４ａ，７４ｂは内側に、ヒンジ腕６６ａ，６６ｂは外側にたわんで変位し、ヒンジ腕６６ａ，６６ｂのヒンジ軸６８がヒンジ穴７５から外れて、第２のフィルタ５２は落下する。
同様に、第１のフィルタ５１のヒンジ腕５８ａ，５８ｂは内側に、ヒンジ受け７４ａ，７４ｂは外側にたわんで、第１のフィルタ５１は落下する。
【００５０】
この場合、蓋組立体着脱用取手７０の嵌入部７２ａ，７２ｂの幅ｗと、ガイドレール４５ａ，４５ｂの縦リブの開口部３３側の間隔ｂとは、ｗ＜ｂに形成されて両者の間にすき間が存在しているので、嵌入部７２ａ，７２ｂ、したがってこれに設けたヒンジ受け７４ａ，７４ｂは、内側又は外側にスムーズにたわんで変位することができる。
【００５１】
本実施の形態は、集塵ケース３０の本体部３１の底部に設けられて蓋組立体着脱用取手７０が着脱可能に装着されるガイドレール４５ａ，４５ｂを、蓋組立体着脱用取手７０の嵌入部７２ａ，７２ｂが挿入される側の間隔ａに対して、反対側（開口部３３側）の間隔ｂをａ＜ｂに形成したので、第１，第２のフィルタ５１，５２のヒンジ腕５８ａ，５８ｂ、６６ａ，６６ｂがストッパリブ８１に加えられる荷重により、スムーズに外側又は内側にたわんで変位するので、ヒンジ受け７４ａ，７４ｂに無理な荷重を加えることなく第１，第２のフィルタ５１，５２がスムーズに落下する。このため、ヒンジ受け７４ａ，７４ｂやヒンジ腕５８ａ，５８ｂ、６６ａ，６６ｂが損傷することもない。
【図面の簡単な説明】
【００５２】
【図１】本発明の実施の形態１に係る電気掃除機の掃除機本体の縦断面図である。
【図２】図１の掃除機本体に設けた集塵ケースのロック手段及び集塵ケースの要部の斜視図である。
【図３】図１の集塵ケースの側面図である。
【図４】図３の集塵ケースの本体部の斜視図である。
【図５】図３の集塵ケースの蓋組立体の説明図である。
【図６】図３の集塵ケースの蓋組立体着脱用取手の説明図である。
【図７】図３の集塵ケースの本体部の下面図である。
【図８】図３の集塵ケースの蓋組立体着脱用取手に蓋組立体を取付けた状態を示す下面図である。
【図９】集塵ケースの本体部に蓋組立体を装着する手順を示す説明図である。
【図１０】蓋組立体を装着した集塵ケースの下面図である。
【図１１】図１０のＡ−Ａ断面図である。
【図１２】集塵ケースの作用説明図である。
【図１３】集塵ケースの作用説明図である。
【図１４】本発明の実施の形態２に係る電気掃除機の集塵ケースの要部の説明図である。
【図１５】実施の形態２の作用説明図である。
【図１６】本発明を実施した電気掃除機の説明図である。
【符号の説明】
【００５３】
１  掃除機本体、２  集塵ケース収容部、１３  電動送風機、２５  集塵ケースのロック手段、３０  集塵ケース、３１  本体部、３２  吸込穴、３３  開口部、３６  蓋組立体のロック部、４５ａ，４５ｂ  ガイドレール、５０  蓋組立体、５１  第１のフイルタ、５２  第２のフイルタ、５８ａ，５８ｂ，６６ａ，６６ｂ  ヒンジ腕、７０  蓋組立体着脱用取手、７２ａ，７２ｂ  嵌入部、７４ａ，７４ｂ  ヒンジ受け、８１  ストッパリブ、８２ａ  第１の当接部、８２ｂ  第２の当接部、１００  ホースアッセンブリ、１０１  ホース、１０３  手元ハンドル、１０５  吸込具。
【図１】
0004488975.tif 000002
【図２】
0004488975.tif 000003
【図３】
0004488975.tif 000004
【図４】
0004488975.tif 000005
【図５】
0004488975.tif 000006
【図６】
0004488975.tif 000007
【図７】
0004488975.tif 000008
【図８】
0004488975.tif 000009
【図９】
0004488975.tif 000010
【図１０】
0004488975.tif 000011
【図１１】
0004488975.tif 000012
【図１２】
0004488975.tif 000013
【図１３】
0004488975.tif 000014
【図１４】
0004488975.tif 000015
【図１５】
0004488975.tif 000016
【図１６】
0004488975.tif 000017